(57)【要約】【課題】屋外に配置された蓄電装置の周囲の温度を当該蓄電装置に適した温度に調節することができる蓄電装置収納室を提供する。【解決手段】屋外に配置された蓄電装置４０を収納する蓄電装置収納室２００であって、蓄電装置４０を収納する下部収納室２１０と、下部収納室２１０の上部に設けられる上部収納室２２０と、下部収納室２１０内の温度に基づいて、下部収納室２１０内の空気、上部収納室２２０内の空気及び外気の入れ換えを行う換気機構２３０と、を具備し、換気機構２３０は、下部収納室２１０内の温度が第一の設定温度Ｔ１以上である場合に下部収納室２１０と上部収納室２２０とを連通する開閉機構２３１と、下部収納室２１０内の温度が第一の設定温度Ｔ１以上である場合に上部収納室２２０内の空気を蓄電装置収納室２００の外部へと排出する排気ファン２３５と、を具備した。【選択図】図３
2013136883.tif 000002
【特許請求の範囲】
【請求項１】
屋外に配置された蓄電装置を収納する蓄電装置収納室であって、
前記蓄電装置を収納する下部収納室と、
前記下部収納室の上部に設けられる上部収納室と、
前記下部収納室内の温度に基づいて、前記下部収納室内の空気、前記上部収納室内の空気及び外気の入れ換えを行う換気機構と、
を具備する蓄電装置収納室。
【請求項２】
前記換気機構は、
前記下部収納室内の温度が第一の設定温度以上である場合に前記下部収納室と前記上部収納室とを連通する開閉機構と、
前記下部収納室内の温度が前記第一の設定温度以上である場合に前記上部収納室内の空気を前記蓄電装置収納室の外部へと排出する排気ファンと、
を具備する請求項１に記載の蓄電装置収納室。
【請求項３】
前記開閉機構は、
前記下部収納室内の温度が前記第一の設定温度よりも低い第二の設定温度未満であり、かつ前記上部収納室内の温度が前記第二の設定温度よりも高い第三の設定温度以上である場合に前記下部収納室と前記上部収納室とを連通し、
前記換気機構は、
前記下部収納室内の温度が前記第二の設定温度未満であり、かつ前記上部収納室内の温度が前記第三の設定温度以上である場合に前記上部収納室内の空気を前記下部収納室へと供給する給気ファンをさらに具備する、
請求項２に記載の蓄電装置収納室。
【請求項４】
前記上部収納室の屋根上に配置され、太陽光を利用して発電可能であり、当該発電された電力のうち少なくとも一部を前記換気機構へと供給する太陽電池パネルをさらに具備する、
請求項１から請求項３までのいずれか一項に記載の蓄電装置収納室。
【発明の詳細な説明】
【技術分野】
【０００１】
本発明は、充放電可能な蓄電装置を収納する蓄電装置収納室の技術に関し、より詳細には、屋外に配置された蓄電装置を収納する蓄電装置収納室の技術に関する。
【背景技術】
【０００２】
従来、充放電可能な蓄電装置を収納する蓄電装置収納室の技術は公知となっている。例えば、特許文献１に記載の如くである。
【０００３】
特許文献１に記載の蓄電装置収納室は、建築物を構成するユニット同士の境界部分に存在するスペースを利用して形成されている。このように構成することにより、蓄電装置を配置するためのスペースを別途確保する必要がなく、デッドスペースを有効利用することができる。
【０００４】
しかし、特許文献に記載の技術では、蓄電装置が建築物内に配置されているため、当該蓄電装置から発生する騒音が当該建築物内の人に不快感を与えるおそれがある点で不利であった。
【０００５】
そこで、蓄電装置から発生する騒音が建築物内の人に与える影響を少なくするための方法として、当該蓄電装置を当該建築物から離間した屋外（当該建築物の外）に配置し、当該蓄電装置を簡易な小屋等（蓄電装置収納室）に収納する方法が考えられる。
【０００６】
しかしこの方法では、小屋等（蓄電装置収納室）が外気から受ける熱の影響が大きいため、蓄電装置の温度環境を良好に保つこと、すなわち、蓄電装置の周囲の温度を当該蓄電装置の稼働に適した温度に保つことが困難である点で不利である。
【先行技術文献】
【特許文献】
【０００７】
【特許文献１】特開２０１０−１６３８４９号公報
【発明の概要】
【発明が解決しようとする課題】
【０００８】
本発明は以上の如き状況に鑑みてなされたものであり、その解決しようとする課題は、屋外に配置された蓄電装置の周囲の温度を当該蓄電装置に適した温度に調節することができる蓄電装置収納室を提供するものである。
【課題を解決するための手段】
【０００９】
本発明の解決しようとする課題は以上の如くであり、次にこの課題を解決するための手段を説明する。
【００１０】
即ち、請求項１においては、屋外に配置された蓄電装置を収納する蓄電装置収納室であって、前記蓄電装置を収納する下部収納室と、前記下部収納室の上部に設けられる上部収納室と、前記下部収納室内の温度に基づいて、前記下部収納室内の空気、前記上部収納室内の空気及び外気の入れ換えを行う換気機構と、を具備するものである。
【００１１】
請求項２においては、前記換気機構は、前記下部収納室内の温度が第一の設定温度以上である場合に前記下部収納室と前記上部収納室とを連通する開閉機構と、前記下部収納室内の温度が前記第一の設定温度以上である場合に前記上部収納室内の空気を前記蓄電装置収納室の外部へと排出する排気ファンと、を具備するものである。
【００１２】
請求項３においては、前記開閉機構は、前記下部収納室内の温度が前記第一の設定温度よりも低い第二の設定温度未満であり、かつ前記上部収納室内の温度が前記第二の設定温度よりも高い第三の設定温度以上である場合に前記下部収納室と前記上部収納室とを連通し、前記換気機構は、前記下部収納室内の温度が前記第二の設定温度未満であり、かつ前記上部収納室内の温度が前記第三の設定温度以上である場合に前記上部収納室内の空気を前記下部収納室へと供給する給気ファンをさらに具備するものである。
【００１３】
請求項４においては、前記上部収納室の屋根上に配置され、太陽光を利用して発電可能であり、当該発電された電力のうち少なくとも一部を前記換気機構へと供給する太陽電池パネルをさらに具備するものである。
【発明の効果】
【００１４】
本発明の効果として、以下に示すような効果を奏する。
【００１５】
請求項１においては、下部収納室内の温度に基づいて換気することで、当該下部収納室の温度を蓄電装置に適した温度に調節することができる。
【００１６】
請求項２においては、下部収納室内の温度が一定値（第一の設定温度）以上になった場合には、当該下部収納室内の空気を上部収納室を介して排出することで、下部収納室内の温度を下げることができ、ひいては蓄電装置の温度上昇に伴う不具合の発生を防止することができる。
【００１７】
請求項３においては、下部収納室内の温度が一定値（第二の設定温度）未満になった場合には、暖かい上部収納室内の空気を下部収納室へと供給することで、下部収納室内の温度を上げることができ、ひいては蓄電装置の温度低下に伴う不具合の発生を防止することができる。
【００１８】
請求項４においては、上部収納室の屋上を太陽電池パネルの設置場所として有効利用すると同時に、当該太陽電池パネルによって上部収納室内の温度の上昇を抑制することができる。また、換気機構によって上部収納室内の温度が下げられることによって、太陽電池パネルも冷却され、当該太陽電池パネルの発電効率も向上させることができる。
【図面の簡単な説明】
【００１９】
【図１】本発明の一実施形態に係る蓄電装置収納室を具備する住宅の１階部分を示した平面図。
【図２】住宅が具備する電力供給システムを示したブロック図。
【図３】蓄電装置収納室の構成を示した側面断面模式図。
【図４】（ａ）開閉機構を示した分解斜視図。（ｂ）開閉機構が閉じている状態を示した斜視図。（ｃ）開閉機構が開いている状態を示した斜視図。
【図５】蓄電装置収納室の動作態様を示したフローチャート。
【図６】第二実施形態に係る蓄電装置収納室において、下部収納室内の空気を排出している状態を示す側面断面模式図。
【図７】同じく、上部収納室内の空気を下部収納室内へと供給している状態を示す側面断面模式図。
【発明を実施するための形態】
【００２０】
まず、図１を用いて、本発明に係る蓄電装置収納室の第一実施形態に係る蓄電装置収納室２００を具備する住宅１００（１階部分のみ）の全体構成について説明する。なお、本発明は住宅に適用されるものに限らず、オフィスビル、駅舎、ホテル等の種々の建築物に広く適用することが可能である。
【００２１】
住宅１００の１階には、玄関１０１、玄関ホール１０２、廊下１０３、トイレ１０４、折り返し階段１０５、階段下収納１０６、デッキ１０７及び車庫１０８が配置される。
【００２２】
住宅１００の北東部分には玄関１０１が配置され、当該玄関１０１の南西側には玄関ホール１０２が配置される。玄関ホール１０２の西側には、西方向に向かって廊下１０３が延設される。廊下１０３の北側には、東から西に向かって順にトイレ１０４及び折り返し階段１０５が住宅１００の外壁１００ａに沿うように配置される。また、折り返し階段１０５の下方には階段下収納１０６が配置される。
【００２３】
廊下１０３の西端（住宅１００の南西部分）には、デッキ１０７が配置される。デッキ１０７の東側（住宅１００の南東部分）には、車庫１０８が配置される。
【００２４】
また、住宅１００の屋外（より詳細には車庫１０８の南方）には、住宅１００とは離間するように後述する蓄電装置収納室２００が配置され、さらに当該蓄電装置収納室２００内には、後述する蓄電装置４０が配置される。
【００２５】
次に、図２を用いて、住宅１００が具備する電力供給システム１について説明する。
【００２６】
電力供給システム１は、住宅等に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２７】
発電部１０は、太陽光を利用して発電する装置であり、太陽電池パネル等により構成される。発電部１０は、例えば、住宅の屋根の上に設置される。
【００２８】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２９】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００３０】
充放電用コンセント群３１は、充電用コンセント３２、ＬＡＮ用コンセント３３及び放電用コンセント３４を具備する。
【００３１】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００３２】
負荷５０は、住宅内において電力が消費される電化製品等であり、特に、停電時（非常時）においても電力を供給する必要がある「特定の負荷」である。
本実施形態においては、負荷５０（特定の負荷）として、リビングに設けられるリビングコンセント５１、冷蔵庫５２、及びリビングに設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００３３】
その他の負荷８０は、住宅内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング以外に設けられるコンセントや照明等が挙げられる。
その他の負荷８０は、分電盤３０に接続される。
【００３４】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３５】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３６】
次に、図２を用いて、上述の如く構成された電力供給システム１において、商用電源９０からの電力が問題なく供給される場合の電力の供給態様について説明する。
【００３７】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３８】
この状態においては、発電部１０において発電された直流電力は、パワーコンディショナ２０において交流電力に変換され、分電盤３０に供給される。また、商用電源９０からの交流電力も分電盤３０に供給される。
【００３９】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００４０】
また、発電部１０及び商用電源９０から分電盤３０に供給された電力は、その他の負荷８０に供給される。すなわち、居住者は、発電部１０及び商用電源９０からの電力によって、リビング以外に設けられるコンセントに接続された機器を利用したり、リビング以外の照明等を点灯させたりすることができる。
【００４１】
また、その他の負荷８０で消費する電力が、発電部１０からの電力だけで十分まかなえる場合は、商用電源９０からの電力を用いないようにすることも可能である。これによって、電力料金を節約することができる。
【００４２】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００４３】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００４４】
次に、停電時（商用電源９０からの電力が供給不能な場合）における電力の供給態様について説明する。
【００４５】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４６】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４７】
この状態においては、発電部１０において発電された電力は、パワーコンディショナ２０、非常用コンセント２１及びケーブル４１を介して蓄電装置４０に充電される。
【００４８】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４９】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００５０】
次に、図１、図３及び図４を用いて、蓄電装置収納室２００の構成について説明する。
【００５１】
蓄電装置収納室２００は、住宅１００の屋外に配置された蓄電装置４０を収納するものである。図１に示すように、蓄電装置収納室２００は、住宅１００とは別個の独立した建屋として設けられる。図３に示すように、蓄電装置収納室２００は、主として下部収納室２１０、上部収納室２２０、換気機構２３０及び太陽電池パネル２５０等を具備する。
【００５２】
下部収納室２１０は、蓄電装置収納室２００の下部を形成する略箱状の部材である。下部収納室２１０の内部には、蓄電装置４０が収納される。
【００５３】
上部収納室２２０は、蓄電装置収納室２００の上部を形成する略箱状の部材である。上部収納室２２０は、下部収納室２１０の上部に設けられ、いわゆる蓄電装置収納室２００の小屋裏（屋根裏）を形成する。上部収納室２２０の上部には、所定の方向に傾斜するようにして屋根２２１が形成される。
【００５４】
換気機構２３０は、下部収納室２１０及び上部収納室２２０内の温度に基づいて、下部収納室２１０内の空気、上部収納室２２０内の空気及び外気（蓄電装置収納室２００の外部の空気）の入れ換えを行うものである。換気機構２３０は、主として開閉機構２３１、給気ファン２３２、下部給排気口２３３、上部給排気口２３４、排気ファン２３５、小型蓄電装置２３６、下部温度センサ２３７、上部温度センサ２３８及び制御手段２３９等を具備する。
【００５５】
図３及び図４に示す開閉機構２３１は、下部収納室２１０と上部収納室２２０との間を仕切ると共に、所定の場合に下部収納室２１０と上部収納室２２０とを連通するものである。開閉機構２３１は、主として第一仕切板２３１ａ及び第二仕切板２３１ｂを具備する。
【００５６】
第一仕切板２３１ａ及び第二仕切板２３１ｂは、それぞれ板状の部材であり、断熱性の高い材料で形成される。第一仕切板２３１ａ及び第二仕切板２３１ｂには、それぞれ所定間隔おきに貫通口が形成される。開閉機構２３１は、第一仕切板２３１ａの上方から第二仕切板２３１ｂが重ね合わされた状態で、下部収納室２１０と上部収納室２２０との間に配置される。第二仕切板２３１ｂは、第一仕切板２３１ａに対して相対的に摺動可能に構成される。当該第二仕切板２３１ｂは、図示せぬアクチュエータ（例えば、モータやエアシリンダ等）によって摺動させることが可能である。
【００５７】
図４（ｂ）に示すように、通常、第一仕切板２３１ａと第二仕切板２３１ｂとが重ね合わされた状態においては、第一仕切板２３１ａ及び第二仕切板２３１ｂに形成された貫通口は平面視において重複しないため、当該開閉機構２３１（第一仕切板２３１ａ及び第二仕切板２３１ｂ）によって下部収納室２１０と上部収納室２２０との間が仕切られる（開閉機構２３１が閉じられる）。
図４（ｃ）に示すように、前記アクチュエータを駆動させ、第二仕切板２３１ｂを一方向に摺動させると、第一仕切板２３１ａの貫通口と第二仕切板２３１ｂの貫通口とが平面視において重複し、下部収納室２１０と上部収納室２２０とが連通される（開閉機構２３１が開かれる）。
【００５８】
図３に示す給気ファン２３２は、上部収納室２２０内の空気を下部収納室２１０へと供給するものである。給気ファン２３２は、開閉機構２３１の上部に配置される。
【００５９】
下部給排気口２３３は、外気を下部収納室２１０内へと取り込んだり、下部収納室２１０内の空気を外部へと排出したりするための開口部である。下部給排気口２３３は、下部収納室２１０の側壁に形成される。
【００６０】
上部給排気口２３４は、外気を上部収納室２２０内へと取り込んだり、上部収納室２２０内の空気を外部へと排出したりするための開口部である。上部給排気口２３４は、上部収納室２２０の側壁に形成される。
【００６１】
排気ファン２３５は、上部収納室２２０内の空気を外部へと排出するものである。排気ファン２３５は、上部給排気口２３４付近に配置される。
【００６２】
小型蓄電装置２３６は、後述する太陽電池パネル２５０で発電された電力を充電するとともに、所定の場合に当該電力を放電するものである。小型蓄電装置２３６は、下部収納室２１０の内側壁に固定される。
【００６３】
下部温度センサ２３７は、下部収納室２１０内の温度を検出するものである。下部温度センサ２３７は、下部収納室２１０の内側壁に固定される。
【００６４】
上部温度センサ２３８は、上部収納室２２０内の温度を検出するものである。上部温度センサ２３８は、上部収納室２２０の内側壁に固定される。
【００６５】
制御手段２３９は、種々の情報に基づいて開閉機構２３１のアクチュエータ等の駆動を制御するものである。制御手段２３９は、ＲＡＭやＲＯＭ等の記憶部、ＣＰＵ等の演算処理部等により構成される。
制御手段２３９は、開閉機構２３１のアクチュエータに接続され、当該アクチュエータの駆動を制御し、開閉機構２３１を開閉させることができる。
制御手段２３９は、給気ファン２３２に接続され、当該給気ファン２３２の駆動を制御することができる。
制御手段２３９は、排気ファン２３５に接続され、当該排気ファン２３５の駆動を制御することができる。
制御手段２３９は、下部温度センサ２３７に接続され、下部収納室２１０内の温度に関する情報を取得することができる。
制御手段２３９は、上部温度センサ２３８に接続され、上部収納室２２０内の温度に関する情報を取得することができる。
【００６６】
太陽電池パネル２５０は、太陽光を利用して発電可能なものである。太陽電池パネル２５０は、上部収納室２２０の屋根２２１上に、当該屋根２２１を覆うように配置される。太陽電池パネル２５０は、給気ファン２３２、排気ファン２３５及び小型蓄電装置２３６等に接続され、当該太陽電池パネル２５０で発電された電力は、給気ファン２３２及び排気ファン２３５の駆動電力として利用されたり、余剰電力は小型蓄電装置２３６に充電されたりする。また、小型蓄電装置２３６に充電された電力は、太陽電池パネル２５０が発電不能な場合（夜間など）に、給気ファン２３２等の駆動電力として利用される。
なお、当該太陽電池パネル２５０を発電部１０（図２参照）の一部として利用し、当該太陽電池パネル２５０で発電された電力を住宅１００内の負荷５０やその他の負荷８０に供給することも可能である。
【００６７】
次に、図３及び図５を用いて、蓄電装置収納室２００の動作態様について説明する。
【００６８】
なお、以下では、下部温度センサ２３７によって検出される下部収納室２１０内の実際の温度を「下部室内温度Ｔｄ」とし、上部温度センサ２３８によって検出される上部収納室２２０内の実際の温度を「上部室内温度Ｔｕ」とする。また、予め設定される設定温度をそれぞれ「第一の設定温度Ｔ１」、「第二の設定温度Ｔ２」及び「第三の設定温度Ｔ３」とする。第一の設定温度Ｔ１、第二の設定温度Ｔ２及び第三の設定温度Ｔ３の大小関係は、Ｔ２＜Ｔ１、かつＴ２＜Ｔ３であるものとする。例えば、Ｔ１＝３５（℃）、Ｔ２＝１０（℃）、Ｔ３＝２０（℃）等に設定される。
第一の設定温度Ｔ１は、蓄電装置４０に不具合が発生することがなく、また当該蓄電装置４０が効率良く稼働することができる温度帯のうち、最も高い温度に近い値に設定される。
第二の設定温度Ｔ２は、蓄電装置４０に不具合が発生することがなく、また当該蓄電装置４０が効率良く稼働することができる温度帯のうち、最も低い温度に近い値に設定される。
【００６９】
図５に示すステップＳ１０１において、制御手段２３９は、下部室内温度Ｔｄが第一の設定温度Ｔ１以上であるか否かを判定する。
制御手段２３９は、下部室内温度Ｔｄが第一の設定温度Ｔ１以上であると判定した場合、ステップＳ１０２に移行する。
制御手段２３９は、下部室内温度Ｔｄが第一の設定温度Ｔ１未満であると判定した場合、ステップＳ１０４に移行する。
【００７０】
ステップＳ１０２において、制御手段２３９は、前記アクチュエータを駆動させ、開閉機構２３１を開く。
制御手段２３９は、上記処理を行った後、ステップＳ１０３に移行する。
【００７１】
ステップＳ１０３において、制御手段２３９は、排気ファン２３５を駆動させる。
これによって、外気が下部給排気口２３３を介して下部収納室２１０内へと取り込まれ、下部収納室２１０内の空気は開閉機構２３１を介して上部収納室２２０内へと供給され、上部収納室２２０内の空気は上部給排気口２３４を介して外部へと排出される（図３参照）。このようにして、下部収納室２１０内の空気が入れ換えられることで、当該下部収納室２１０内の温度（下部室内温度Ｔｄ）を下げることができる。
図５に示すように、制御手段２３９は、上記処理を行った後、ステップＳ１０１に移行する。
【００７２】
ステップＳ１０４において、制御手段２３９は、下部室内温度Ｔｄが第二の設定温度Ｔ２未満であるか否かを判定する。
制御手段２３９は、下部室内温度Ｔｄが第二の設定温度Ｔ２未満であると判定した場合、ステップＳ１０５に移行する。
制御手段２３９は、下部室内温度Ｔｄが第二の設定温度Ｔ２以上であると判定した場合、ステップＳ１０８に移行する。
【００７３】
ステップＳ１０５において、制御手段２３９は、上部室内温度Ｔｕが第三の設定温度以上であるか否かを判定する。
制御手段２３９は、上部室内温度Ｔｕが第三の設定温度以上であると判定した場合、ステップＳ１０６に移行する。
制御手段２３９は、上部室内温度Ｔｕが第三の設定温度未満であると判定した場合、ステップＳ１０８に移行する。
【００７４】
ステップＳ１０６において、制御手段２３９は、前記アクチュエータを駆動させ、開閉機構２３１を開く。
制御手段２３９は、上記処理を行った後、ステップＳ１０７に移行する。
【００７５】
ステップＳ１０７において、制御手段２３９は、給気ファン２３２を駆動させる。
これによって、外気が上部給排気口２３４を介して上部収納室２２０内へと取り込まれ、上部収納室２２０内の空気は開閉機構２３１を介して下部収納室２１０内へと供給され、下部収納室２１０内の空気は下部給排気口２３３を介して外部へと排出される（図３参照）。このようにして、比較的温度が高い上部収納室２２０内の空気を下部収納室２１０へと供給することで、当該下部収納室２１０内の温度（下部室内温度Ｔｄ）を上げることができる。
図５に示すように、制御手段２３９は、上記処理を行った後、ステップＳ１０１に移行する。
【００７６】
ステップＳ１０８において、制御手段２３９は、給気ファン２３２又は排気ファン２３５が駆動している場合、それらの駆動を停止させる。
制御手段２３９は、上記処理を行った後、ステップＳ１０９に移行する。
【００７７】
ステップＳ１０９において、制御手段２３９は、開閉機構２３１が開いている場合、前記アクチュエータを駆動させ、開閉機構２３１を閉じる。
【００７８】
上述の如く、制御手段２３９は、下部収納室２１０内の温度（下部室内温度Ｔｄ）がＴ１未満（ステップＳ１０１）かつＴ２以上（ステップＳ１０４）である場合、給気ファン２３２及び排気ファン２３５を駆動させず（ステップＳ１０８）、開閉機構２３１を閉じた状態に保持する（ステップＳ１０９）。
このように、下部室内温度Ｔｄが蓄電装置４０に適した温度範囲（Ｔ２≦Ｔｄ＜Ｔ１）にある場合は、下部収納室２１０内の空間と上部収納室２２０内の空間とを開閉機構２３１によって分離することで、下部収納室２１０内の温度（下部室内温度Ｔｄ）が外部からの影響によって上昇するのを抑制することができる。詳述すると、蓄電装置収納室２００の屋根２２１に太陽光が照射された場合、上部収納室２２０がいわゆる小屋裏（断熱空間）になり、当該上部収納室２２０内の温度（上部室内温度Ｔｕ）は上昇するものの、下部収納室２１０内の温度は上昇し難くなる。
【００７９】
また、制御手段２３９は、下部室内温度ＴｄがＴ１以上（ステップＳ１０１）である場合は、開閉機構２３１を開いて（ステップＳ１０２）排気ファン２３５を駆動させる（ステップＳ１０３）。
このように、下部室内温度Ｔｄが蓄電装置４０に適した温度範囲（Ｔ２≦Ｔｄ＜Ｔ１）を超えて高温になった場合（例えば、夏の時期の昼間など）は、下部収納室２１０内の空気を外部へと排出すると共に、外気を下部収納室２１０内へと取り込むことで、当該下部収納室２１０内の温度（下部室内温度Ｔｄ）を下げることができる。
【００８０】
また、制御手段２３９は、下部室内温度ＴｄがＴ２未満（ステップＳ１０４）であり、かつ上部室内温度ＴｕがＴ３以上（ステップＳ１０５）である場合は、開閉機構２３１を開いて（ステップＳ１０６）給気ファン２３２を駆動させる（ステップＳ１０７）。
このように、内温度Ｔｄが蓄電装置４０に適した温度範囲（Ｔ２≦Ｔｄ＜Ｔ１）よりも低温になった場合（例えば、冬の時期の夜間など）は、上部室内温度Ｔｕが比較的高い（Ｔ３以上である）場合に限り、上部収納室２２０内の空気を下部収納室２１０内へと供給することで、当該下部収納室２１０内の温度（下部室内温度Ｔｄ）を上げることができる。
【００８１】
以上の如く、本実施形態に係る蓄電装置収納室２００は、屋外に配置された蓄電装置４０を収納する蓄電装置収納室２００であって、蓄電装置４０を収納する下部収納室２１０と、下部収納室２１０の上部に設けられる上部収納室２２０と、下部収納室２１０内の温度に基づいて、下部収納室２１０内の空気、上部収納室２２０内の空気及び外気の入れ換えを行う換気機構２３０と、を具備するものである。
このように構成することにより、下部収納室２１０内の温度に基づいて換気することで、当該下部収納室２１０の温度を蓄電装置４０に適した温度に調節することができる。
【００８２】
また、換気機構２３０は、下部収納室２１０内の温度が第一の設定温度Ｔ１以上である場合に下部収納室２１０と上部収納室２２０とを連通する開閉機構２３１と、下部収納室２１０内の温度が第一の設定温度Ｔ１以上である場合に上部収納室２２０内の空気を蓄電装置収納室２００の外部へと排出する排気ファン２３５と、を具備するものである。
このように構成することにより、下部収納室２１０内の温度が一定値（第一の設定温度Ｔ１）以上になった場合には、当該下部収納室２１０内の空気を上部収納室２２０を介して排出することで、下部収納室２１０内の温度を下げることができ、ひいては蓄電装置４０の温度上昇に伴う不具合の発生を防止することができる。
【００８３】
また、開閉機構２３１は、
下部収納室２１０内の温度が第一の設定温度Ｔ１よりも低い第二の設定温度Ｔ２未満であり、かつ上部収納室２２０内の温度が第二の設定温度Ｔ２よりも高い第三の設定温度Ｔ３以上である場合に下部収納室２１０と上部収納室２２０とを連通し、換気機構２３０は、下部収納室２１０内の温度が第二の設定温度Ｔ２未満であり、かつ上部収納室２２０内の温度が第三の設定温度Ｔ３以上である場合に上部収納室２２０内の空気を下部収納室２１０へと供給する給気ファン２３２をさらに具備するものである。
このように構成することにより、下部収納室２１０内の温度が一定値（第二の設定温度Ｔ２）未満になった場合には、暖かい上部収納室２２０内の空気を下部収納室２１０へと供給することで、下部収納室２１０内の温度を上げることができ、ひいては蓄電装置４０の温度低下に伴う不具合の発生を防止することができる。
【００８４】
また、蓄電装置収納室２００は、
上部収納室２２０の屋根２２１上に配置され、太陽光を利用して発電可能であり、当該発電された電力のうち少なくとも一部を換気機構２３０へと供給する太陽電池パネル２５０をさらに具備するものである。
このように構成することにより、上部収納室２２０の屋上を太陽電池パネル２５０の設置場所として有効利用すると同時に、当該太陽電池パネル２５０によって上部収納室２２０内の温度の上昇を抑制することができる。また、換気機構２３０によって上部収納室２２０内の温度が下げられることによって、太陽電池パネル２５０も冷却され、当該太陽電池パネル２５０の発電効率も向上させることができる。
【００８５】
なお、本実施形態において、開閉機構２３１の開閉は図示せぬアクチュエータによって行うものとしたが、本発明はこれに限るものではない。例えば、形状記憶合金を組み合わせて、下部収納室２１０内の温度が所定の温度になったのを境に、自動的に開閉を行うように構成することも可能である。
また、給気ファン２３２、下部給排気口２３３、上部給排気口２３４、排気ファン２３５、下部温度センサ２３７及び上部温度センサ２３８の配置、個数、形状等は限定するものではない。
また、制御手段２３９は、電力供給システム１が具備するホームサーバ６０（図２参照）により兼用することも可能である。
【００８６】
以下では、図６及び図７を用いて、本発明に係る蓄電装置収納室の第二実施形態に係る蓄電装置収納室２００の構成について説明する。
【００８７】
第二実施形態に係る蓄電装置収納室２００が、第一実施形態に係る蓄電装置収納室２００（図３参照）と異なる点は、給気ファン２３２、下部給排気口２３３、上部給排気口２３４及び排気ファン２３５に代えて、下部第一給気口２４０、下部第二給気口２４１、上部排気口２４２、給排気ファン２４３、排気ダクト２４４、給気ダクト２４５及び切替ダンパ２４６を具備する点である。よって以下では、第一実施形態と異なる部材について説明し、第一実施形態と同一の部材には同一の符号を付して説明を省略する。
【００８８】
下部第一給気口２４０は、外気を下部収納室２１０内へと取り込むための開口部である。下部第一給気口２４０は、下部収納室２１０の側壁に形成される。
【００８９】
下部第二給気口２４１は、上部収納室２２０内の空気を下部収納室２１０内へと取り込むための開口部である。下部第二給気口２４１は、下部収納室２１０の側壁に形成される。
【００９０】
上部排気口２４２は、上部収納室２２０内の空気を外部へと排出したり、下部収納室２１０内へと供給したりするための開口部である。上部排気口２４２は、上部収納室２２０の側壁に形成される。
【００９１】
給排気ファン２４３は、上部収納室２２０内の空気を外部へと排出したり、下部収納室２１０内へと供給したりするものである。給排気ファン２４３は、上部排気口２４２付近に配置される。
【００９２】
排気ダクト２４４は、上部排気口２４２から排出された空気を外部へと案内するものである。排気ダクト２４４の一端は蓄電装置収納室２００の外側から上部排気口２４２に接続され、排気ダクト２４４の他端は外部に開放される。
【００９３】
給気ダクト２４５は、上部排気口２４２から排出された空気を下部第二給気口２４１へと案内するものである。給気ダクト２４５の一端は排気ダクト２４４の中途部に連通接続され、給気ダクト２４５の他端は蓄電装置収納室２００の外側から下部第二給気口２４１に接続される。
【００９４】
切替ダンパ２４６は、上部排気口２４２から排出された空気の流通経路を切り替えるものである。切替ダンパ２４６は、排気ダクト２４４と給気ダクト２４５の接続部に設けられる。切替ダンパ２４６は、図示せぬアクチュエータにより駆動することにより、給気ダクト２４５の一端（排気ダクト２４４と接続された側の端部）を閉塞する状態と、給気ダクト２４５の一端を開放して排気ダクト２４４と給気ダクト２４５とを連通すると共に、排気ダクト２４４の他端（外部に開放された側の端部）側を閉塞する状態（図７参照）と、を切り替えることが可能である。
【００９５】
また、開閉機構２３１のアクチュエータ、下部温度センサ２３７、上部温度センサ２３８、給排気ファン２４３、切替ダンパ２４６のアクチュエータは、第一実施形態と同様の制御手段２３９に接続され、当該制御手段２３９によりその動作を制御される。なお、図６及び図７においては、制御手段２３９の図示を省略している。
【００９６】
次に、図６及び図７を用いて、第二実施形態に係る蓄電装置収納室２００の動作態様について簡単に説明する。
【００９７】
制御手段２３９は、下部収納室２１０内の温度（下部室内温度Ｔｄ）がＴ１未満かつＴ２以上である場合、給排気ファン２４３を駆動させず、開閉機構２３１を閉じた状態に保持する。
このように、下部室内温度Ｔｄが蓄電装置４０に適した温度範囲（Ｔ２≦Ｔｄ＜Ｔ１）にある場合は、下部収納室２１０内の空間と上部収納室２２０内の空間とを開閉機構２３１によって分離することで、下部収納室２１０内の温度（下部室内温度Ｔｄ）が外部からの影響によって上昇するのを抑制することができる。
【００９８】
また、制御手段２３９は、下部室内温度ＴｄがＴ１以上である場合は、切替ダンパ２４６によって給気ダクト２４５の一端を閉塞した状態で、開閉機構２３１を開いて給排気ファン２４３を駆動させる（図６参照）。
これによって、外気が下部第一給気口２４０を介して下部収納室２１０内へと取り込まれ、下部収納室２１０内の空気は開閉機構２３１を介して上部収納室２２０内へと供給され、上部収納室２２０内の空気は上部排気口２４２及び排気ダクト２４４を介して外部に排出される。このようにして、下部収納室２１０内の空気が入れ換えられることで、当該下部収納室２１０内の温度（下部室内温度Ｔｄ）を下げることができる。
【００９９】
また、制御手段２３９は、下部室内温度ＴｄがＴ２未満であり、かつ上部室内温度ＴｕがＴ３以上である場合は、切替ダンパ２４６によって排気ダクト２４４の他端（外部に開放された側の端部）側を閉塞した状態で、開閉機構２３１を開いて給排気ファン２４３を駆動させる（図７参照）。
これによって、上部収納室２２０内の空気は上部排気口２４２、排気ダクト２４４、給気ダクト２４５及び下部第二給気口２４１を介して下部収納室２１０に供給されると共に、下部収納室２１０内の空気は開閉機構２３１を介して上部収納室２２０内へと供給される。このようにして、比較的温度が高い上部収納室２２０内の空気を下部収納室２１０へと供給することで、当該下部収納室２１０内の温度（下部室内温度Ｔｄ）を上げることができる。
【０１００】
第二実施形態に係る蓄電装置収納室２００においては、下部収納室２１０内の温度が高い場合に当該下部収納室２１０内の空気を排出するためのファンと、下部収納室２１０内の温度が高い場合に上部収納室２２０内の空気を下部収納室２１０内に供給するためのファンと、を１つの給排気ファン２４３で兼用することができ、設備の簡素化を図ることができる。
【符号の説明】
【０１０１】
４０    蓄電装置
２００  蓄電装置収納室
２１０  下部収納室
２２０  上部収納室
２２１  屋根
２３０  換気機構
２３１  開閉機構
２３２  給気ファン
２３５  排気ファン
２５０  太陽電池パネル
【図１】
2013136883.tif 000003
【図２】
2013136883.tif 000004
【図３】
2013136883.tif 000005
【図４】
2013136883.tif 000006
【図５】
2013136883.tif 000007
【図６】
2013136883.tif 000008
【図７】
2013136883.tif 000009